(57)【要約】【課題】ＡＥＤを搬送した後に救急隊の輸送を支援するエレベータ救命支援システムを提供する。【解決手段】エレベータ救命支援システムは、乗りかごと、乗りかごの内部に設けられ行き先の階床を選択する操作装置と、乗りかごの所定の位置に備え付けられた自動体外式除細動器と、階床の乗場に設けられ自動体外式除細動器を要する場合にエレベータに救助運転を行わせる救助運転釦と、救助運転釦が押圧されて救助運転となると乗りかごを救助運転釦が押圧された階床に着床させる自動体外式除細動器搬送処理と、自動体外式除細動器が乗りかごの所定の位置から取り外されると乗りかごを基準階に移動させて基準階の乗場扉と乗りかごの乗りかご扉とを戸開状態で待機させる基準階待機処理と、操作装置が押圧されると戸開状態を解除して乗りかごを救助運転釦が押圧された階床に移動させる輸送処理とを行う制御部と、を具備する。【選択図】図１
2019001588.tif 000002
【特許請求の範囲】
【請求項１】
階床に着床する乗りかごと、
前記乗りかごの内部に設けられ、行き先の階床を選択する操作装置と
前記乗りかごの所定の位置に備え付けられた自動体外式除細動器と、
前記階床の乗場に設けられ、前記自動体外式除細動器を要する場合に、エレベータに救助運転を行わせる救助運転釦と、
前記救助運転釦が押圧されて前記救助運転となると、前記乗りかごを前記救助運転釦が押圧された階床に着床させる自動体外式除細動器搬送処理と、自動体外式除細動器が前記乗りかごの所定の位置から取り外されると前記乗りかごを基準階に移動させて前記基準階の乗場扉と前記乗りかごの乗りかご扉とを戸開状態で待機させる基準階待機処理と、前記操作装置が押圧されると戸開状態を解除して前記乗りかごを前記救助運転釦が押圧された階床に移動させる輸送処理とを行う制御部と、
を具備するエレベータ救命支援システム。
【請求項２】
前記エレベータ救命支援システムは、前記操作装置の前記救助運転釦が押圧された階床に対応する階床釦を他の階床の階床釦とは異なる特定表示を行う、請求項１に記載のエレベータ救命支援システム。
【請求項３】
前記特定表示の状態にある前記操作装置において、前記救助運転釦が押圧された階床に対応する階床釦を所定の時間以上で押圧することで、前記基準階待機処理から前記輸送処理に処理を移行する、請求項２に記載のエレベータ救命支援システム。
【請求項４】
前記特定表示は、前記救助運転釦が押圧された階床に対応する階床釦を点灯し、他の階床の階床釦を消灯する表示である、請求項３に記載のエレベータ救命支援システム。
【請求項５】
前記特定表示は、前記救助運転釦が押圧された階床に対応する階床釦を点滅させる表示である、請求項３に記載のエレベータ救命支援システム。
【請求項６】
前記救助運転を解除し、通常運転に切替えを行う解除手段を更に有する、請求項１乃至請求項５のいずれか１項に記載のエレベータ救命支援システム。
【請求項７】
前記解除手段は前記操作装置について複数の釦を略同時に押圧することで機能する、請求項６に記載のエレベータ救命支援システム。
【請求項８】
前記乗りかごは錠機構を有しており、前記救助運転釦が押圧されると、当該救助運転釦の押圧を鍵機能として前記錠機構を開錠するトランク部を更に設けた、
請求項１乃至請求項７に記載のエレベータ救命支援システム。
【請求項９】
前記乗りかごは錠機構を有しており、前記救助運転釦が押圧されると、当該救助運転釦の押圧を鍵機能として前記錠機構を開錠するトランク部と、
前記救助運転を解除し、通常運転に切替えを行う解除手段と、
を具備し、
前記解除手段は、前記トランク部の前記錠機構を施錠して、前記操作装置について複数の釦を略同時に押圧することで機能する、
請求項１乃至請求項５のいずれか１項に記載のエレベータ救命支援システム。
【請求項１０】
前記解除手段に係る情報を乗りかご内に報知する報知手段を更に有した、
請求項６乃至請求項９のいずれか１項に記載のエレベータ救命支援システム。
【請求項１１】
前記制御部は、前記輸送処理の後に、前記救助運転釦が押圧された階床の乗場扉と前記乗りかごの乗りかご扉とを戸開状態で待機させ、前記操作装置の前記基準階に対応する階床釦または戸閉釦が押圧されたときに前記乗りかごを前記基準階に移動させて戸開状態にし、所定の時間が経過した後に通常運転へと切替えを行う、
請求項１乃至請求項１０のいずれか１項に記載のエレベータ救命支援システム。
【発明の詳細な説明】
【技術分野】
【０００１】
本発明の実施形態は、エレベータ救命支援システムに関する。
【背景技術】
【０００２】
従来、エレベータの乗りかご側板に筐体を設け、筐体内部にＡＥＤ（自動体外式除細動器）を設けたエレベータが知られている。（例えば特許文献１）このエレベータは、ＡＥＤを必要とする被救護者がどの階床で発生しても、エレベータにより被救護者のいる階床にＡＥＤを提供することができる。
【０００３】
ＡＥＤを搬送した後に、救急隊を被救護者がいる階にエレベータで運ぶために、エレベータを地上階（基準階）に待機させる処理に切替える必要がある。しかし、この切替えの処理は管理者など、所定の者のみにしか行えないという問題がある。
【先行技術文献】
【特許文献】
【０００４】
【特許文献１】特開２０１０−７６９２０号公報
【発明の概要】
【発明が解決しようとする課題】
【０００５】
本発明が解決しようとする課題は、ＡＥＤを搬送した後に救急隊の輸送を行うエレベータ救命支援システムを提供することである。
【課題を解決するための手段】
【０００６】
上記課題を解決するため、実施形態のエレベータ救命支援システムは、階床に着床する乗りかごと、前記乗りかごの内部に設けられ、行き先の階床を選択する操作装置と前記乗りかごの所定の位置に備え付けられた自動体外式除細動器と、前記階床の乗場に設けられ、前記自動体外式除細動器を要する場合に、エレベータに救助運転を行わせる救助運転釦と、前記救助運転釦が押圧されて前記救助運転となると、前記乗りかごを前記救助運転釦が押圧された階床に着床させる自動体外式除細動器搬送処理と、自動体外式除細動器が前記乗りかごの所定の位置から取り外されると前記乗りかごを基準階に移動させて前記基準階の乗場扉と前記乗りかごの乗りかご扉とを戸開状態で待機させる基準階待機処理と、前記操作装置が押圧されると戸開状態を解除して前記乗りかごを前記救助運転釦が押圧された階床に移動させる輸送処理とを行う制御部と、を具備する。
【図面の簡単な説明】
【０００７】
【図１】第１、第２の実施形態であるエレベータ救命支援システムの構成図。
【図２】乗りかご内の操作装置の構成図。
【図３】乗場における乗場扉と呼出装置の図。
【図４】第１の実施形態であるエレベータ救命支援システムの流れ図。
【図５】階床釦の特定表示の例。
【図６】第３、第４の実施形態であるエレベータ救命支援システムの構成図。
【図７】第３の実施形態であるエレベータ救命支援システムの流れ図。
【発明を実施するための形態】
【０００８】
以下、エレベータ救命支援システムの実施形態を図面に基づき説明する。
【０００９】
（第１の実施形態）
図１は第１の実施形態であるエレベータ救命支援システム１００の構成図である。本実施形態のエレベータ救命支援システム１００は昇降路１０内に乗りかご２０とカウンタウエイト２１とが昇降動作可能に設けられている。
【００１０】
昇降路１０の上部には制御盤と称される、エレベータ全体の制御を行う制御部３０と巻上機４０とが昇降路１０の上部に備えられている。巻上機４０には、一端が乗りかご２０と接続され、他端がカウンタウエイト２１に接続されたメインロープ２２が巻き架けられている。制御部３０の制御に基づいて巻上機４０が駆動されることによって、乗りかご２０が昇降動作する。
【００１１】
乗りかご２０には乗客が乗降するための乗りかご扉２３、操作装置２４、ＡＥＤ（自動体外式除細動器）２５が設けられている。
【００１２】
図２は操作装置２４の構成図である。操作装置２４は乗りかご扉２３の開閉を操作する開閉釦２６と、各階床へ乗りかご２０を移動させることを予約する階床釦２７とを有している。操作装置２４は乗りかご２０の上昇、下降を示す、表示部２８を有していてもよい。
【００１３】
開閉釦２６は戸開釦２６１と戸閉釦２６２とからなる。階床釦２７は１階に対応する釦を階床釦２７１、２階に対応する釦を階床釦２７２、３階に対応する釦を階床釦２７３、４階に対応する釦を階床釦２７４とする。図２では階床釦２７について４階床構造の場合を示しているが、階床数は４階床に限定はされない。
【００１４】
図１において、乗りかご２０と制御部３０とはテールコード３１にて接続されている。テールコード３１は乗りかご２０と制御部３０との情報伝達を行う伝送線である。制御部３０はテールコード３１を介して乗りかご扉２３の開閉制御を行う。また、操作装置２４にて階床釦２７が押圧されると、テールコード３１を介して、押圧された階床釦２７の情報が制御部３０に伝達される。制御部３０は当該情報に基づいて、巻上機４０を制御して、押圧された階床釦２７に対応する階床へ乗りかご２０を移動させる。ＡＥＤ２５が乗りかご２０の所定の位置より取り外されると、ＡＥＤ２５が取り外された旨の信号がテールコード３１を介して制御部３０に伝送される。
【００１５】
階床の乗場５０は各階ごとに乗りかご２０に乗降するための乗場扉６０と乗りかご２０を呼び出す呼出装置６１が設けられている。図３は乗場５０における乗場扉６０と呼出装置６１の図である。呼出装置６１には乗りかご２０内に備えられたＡＥＤ２５を搬送させるための釦、救助運転釦６２が設けられている。図３の右図は救助運転釦６２近傍の拡大図となる。救助運転釦６２は一例として、図３の拡大図のようにＡＥＤ搬送用の釦である旨の表記「ＡＥＤ搬送」などと記載されている。
【００１６】
図１において、各階の乗場扉６０と呼出装置６１と制御部３０とは伝送路６３にて接続されている。制御部３０は呼出装置６１の呼出し情報や、救助運転釦６２の押圧の有無を読み取り、乗場扉６０の開閉制御を行う。
【００１７】
なお、本実施形態であるエレベータ救命支援システム１００の乗りかご２０は被救護者９０を搬送するストレッチャ９１および、救急隊などの救護者９２が乗り込むことが可能なサイズであるとする。
【００１８】
図４は本実施形態であるエレベータ救命支援システム１００の流れ図である。以下、一例として、被救護者９０が発生した階床を３階、基準階を１階として説明するが、階床についてはこれらに限定はされない。
【００１９】
被救護者９０が３階にて発生したとする（ステップＳ１００）。制御部３０は通常運転において、救助運転釦６２が押されたかを判定する（ステップＳ１０１）。救助運転釦６２が押されていない場合（ステップＳ１０１のＮＯ）、通常運転の状態を維持して、救助運転釦６２が押されたかを判定し続ける。救助運転釦６２が押された場合（ステップＳ１０１のＹＥＳ）、制御部３０は通常運転から救助運転に切り替え、操作装置２４の救助運転釦６２が押圧された階床に対応する階床釦２７を特定表示させる（ステップＳ１０２）。
【００２０】
特定表示とは一例として、図５（ａ）のように救助運転釦６２が押圧された階床（３階）の階床釦２７（２７３）を点滅させるなどがある。また、一例として図５（ｂ）のように３階の階床釦２７（２７３）を点灯し、３階以外の階床釦２７（２７１、２７２、２７４）を消灯するなどがある。以下では図５（ａ）のように点滅させる場合について、詳述する。
【００２１】
制御部３０は、救助運転釦６２が押圧された階床に対応する階床釦２７を点滅（ステップＳ１０２）させた後、救助運転釦６２が押された階床（３階）へ乗りかご２０を着床させ（ステップＳ１０３）、乗りかご扉２３と３階の乗場扉６０とを戸開して待機させる（ステップＳ１０４）。以下、階床釦２７の特定表示（点滅）から乗りかご２０の着床（ステップＳ１０２からステップＳ１０３）の処理を自動体外式除細動器搬送処理と称する。
【００２２】
戸開待機（ステップＳ１０４）の状態にてＡＥＤ２５の取り外しの判定（ステップＳ１０５）を行う。ＡＥＤ２５が取り外されない場合は（ステップＳ１０５のＮＯ）、戸開待機の状態を継続する。ＡＥＤ２５が取り外された場合は（ステップＳ１０５のＹＥＳ）、所定の時間が経過した後に戸閉する（ステップＳ１０６）。制御部３０はその後乗りかご２０を基準階（１階）に移動させて着床し（ステップＳ１０７）、乗りかご扉２３と１階の乗場扉６０とを戸開して待機させる（ステップＳ１０８）。以下、乗りかご２０の基準階への移動と着床後の戸開待機（ステップＳ１０７からステップＳ１０８）の処理を基準階待機処理と称する。
【００２３】
戸開待機（ステップＳ１０８）の状態にて救急隊（救護者９２）が被救護者９０を搬送するためのストレッチャ９１とともに乗りかご２０に乗車する。制御部３０は特定表示（点滅）されている、乗りかご２０内の操作装置２４の階床釦２７（２７３）を選択して押圧したか否かを判定する（ステップＳ１０９）。階床釦２７（２７３）が選択されなかった場合（ステップＳ１０９のＮＯ）、戸開待機の状態を維持する（ステップＳ１０８）。階床釦２７（２７３）が選択された場合（ステップＳ１０９のＹＥＳ）、戸閉して（ステップＳ１１０）、救助運転釦６２が押された階床（３階）に移動させ、着床させる（ステップＳ１１１）。即ち、救護者９２を３階に輸送させる。以下、階床釦２７の選択から救助運転釦６２が押された階床への着床（ステップＳ１０９からステップＳ１１１）の処理を輸送処理と称する。
【００２４】
特定表示（点滅）されている階床釦２７（２７３）の押圧の判定（ステップＳ１０９）は例えば、階床釦２７３以外の釦が押圧された場合は操作を受け付けないとする。また、階床釦２７３の長押し（所定の時間以上で押圧）により選択されたと判定してもよい。これにより、救助運転中に通常運転と錯誤した者（救護者９２以外の者）による操作装置２４の操作を無効化させて、救護者９２の搬送を効率よく行うことができる。
【００２５】
乗りかご２０を３階に着床させ、救護者９２を輸送した後、乗りかご扉２３と３階の乗場扉６０とを戸開状態で待機させる（ステップＳ１１２）。その後、図１のように被救護者９０を載せたストレッチャ９１が救護者９２により乗りかご２０に運ばれた場合、戸閉釦２６２が押されたか否かを判定する（ステップＳ１１３）。戸閉釦２６２が押されなかった場合（ステップＳ１１３のＮＯ）、戸開状態を維持する（ステップＳ１１２）。戸閉釦２６２が押された場合（ステップＳ１１３のＹＥＳ）、制御部３０は戸閉して（ステップＳ１１４）、基準階（１階）に乗りかご２０を移動させ、着床し（ステップＳ１１５）、乗りかご扉２３と１階の乗場扉６０とを戸開させる（ステップＳ１１６）。これにより救護者９２はストレッチャ９１とともに被救護者９０を屋外に運びだし、医療機関などへ搬送することが可能となる。
【００２６】
なお、戸閉釦２６２が押されたか否かを判定（ステップＳ１１３）について、戸閉釦２６２の代わりに基準階（１階）に対応する階床釦２７（２７１）が押されたか否かを判定しても良い。
【００２７】
乗りかご２０は戸開（ステップＳ１１６）から一定の時間が経過するまで戸開状態としても良い（ステップＳ１１７のＮＯ）。一定時間が経過した場合は（ステップＳ１１７のＹＥＳ）、制御部３０は通常運転に切り替えてもよい（ステップＳ１１８）。
【００２８】
以上により、本実施形態はＡＥＤを搬送した後に救急隊の輸送を支援することを可能としている。
【００２９】
（第２の実施形態）
本実施形態のエレベータ救命支援システム１０１は第１の実施形態のエレベータ救命支援システム１００に、救助運転を解除して通常運転に切替える解除手段を更に具備したものである。本実施形態のエレベータ救命支援システム１０１の構成は図１乃至図３と同様である。
【００３０】
通常運転から救助運転への切替えは救助運転釦６２の押圧により開始されるところ、誤操作や悪戯などにより救助運転釦６２を押圧し救助運転に切替わる場合もある。その場合、乗りかご２０が戸開待機（図４のステップＳ１０４）の状態で維持されてしまい、通常運行ができないことになる。このため、解除手段により、通常運行に戻す必要がある。
【００３１】
救助運転釦６２が押圧されると乗りかご２０内の操作装置２４は図５（ａ）のように階床釦２７３が点滅した状態となる。本実施形態のエレベータ救命支援システム１０１は操作装置２４の複数の釦について略同時に押圧することで解除手段を機能させることができる。例えば、救助運転釦６２が押圧された階床３階以外の階床釦２７（２７１、２７２、２７４）を略同時に押圧することで解除手段を機能させることができる。また、開閉釦２６と階床釦２７とを略同時に押圧してよい。
【００３２】
解除手段により解除する場合、例えば音声により、解除の方法を報知してもよい。乗りかご２０には報知手段としてスピーカ２９を設けており、音声により複数の釦を略同時に押圧することで解除となる旨を報知し、誤操作による救助運転につき解除を誘導していてもよい。また、報知手段として操作装置２４の表示部２８に解除の方法を表示しても良い。
【００３３】
以上より、本実施形態はＡＥＤを搬送した後に救急隊の輸送を支援することを可能とし、更に救急隊の輸送を支援する必要のない、誤操作や悪戯などによる救助運転釦の押圧に対処することを可能としている。
【００３４】
（第３の実施形態）
図６は第３の実施形態であるエレベータ救命支援システム１０２の構成図である。図６において図１と共通の構成部位については説明を省略する。本実施形態の乗りかご２０は乗りかご扉２３に対向する面、即ち奥側の面にトランク部７０を設けている。トランク部７０は蓋部７１と錠機構７２とを有している。
【００３５】
本実施形態の乗りかご２０は第１の実施形態の乗りかご２０よりもサイズが小さい。蓋部７１は通常運転時では閉じているが救助運転時では蓋部７１を開扉して使用する。即ち、救助運転釦６２が押されて救助運転となった場合、被救護者９０を搬送するストレッチャ９１および、救急隊などの救護者９２を乗り込ませるために、蓋部７１を開扉する。ストレッチャ９１の先端をトランク部７０に入れることで、小型の乗りかご２０でも被救護者９０の搬送が可能となる。
【００３６】
錠機構７２は蓋部７１のトランクキーであり、通常運転時では蓋部７１を施錠することで、乗客がトランク部７０を開扉することを防止している。救助運転釦６２が押圧されると、救助運転釦６２の押圧の情報が伝送路６３を介して制御部３０に伝送される。制御部３０は当該押圧の情報を鍵機能として、テールコード３１を介して乗りかご２０に伝送する。乗りかご２０は救助運転釦６２の押圧の情報を受信すると、錠機構７２を開錠し、ストレッチャ９１の搬入を可能とする。
【００３７】
図７は本実施形態であるエレベータ救命支援システム１０２の流れ図である。本実施形態における流れ図の内、第１の実施形態の流れ図（図４）と同一のステップ（ステップＳ１００、ステップＳ１０１、およびステップＳ１０４以降）については省略をしている。本実施形態では制御部３０により操作装置２４の救助運転釦６２が押圧された階床に対応する階床釦２７を特定表示（点滅）させた後（ステップＳ１０２）、トランクキーたる錠機構７２を解除する（ステップＳ１１９）。そして、制御部３０は、救助運転釦６２が押された階床（３階）へ乗りかご２０を着床させる（ステップＳ１０３）。その後の処理（ステップＳ１０４以降）は図１と同様である。
【００３８】
以上より、本実施形態は小型の乗りかごにおいて、トランク部を設けて蓋部を開扉することで、ＡＥＤを搬送した後に救急隊の輸送を支援することを可能としている。
【００３９】
（第４の実施形態）
本実施形態のエレベータ救命支援システム１０３は第３の実施形態のエレベータ救命支援システム１０２に第２の実施形態のエレベータ救命支援システム１０１と同様の解除手段を設けたものである。即ち、誤操作や悪戯などによる救助運転釦６２の押圧による救助運転の状態を解除し、通常運転に切替える解除手段を設けている。
【００４０】
解除手段は第２の実施形態と同様に、操作装置２４の複数の釦について略同時に押圧することで解除手段を機能させることができる。その際、本実施形態は蓋部７１を閉じて、錠機構７２を施錠したうえで、救助運転を解除することができる。
【００４１】
錠機構７２の施錠と操作装置２４の複数の釦の押圧との情報を、テールコード３１を介して制御部３０に伝送し、制御部３０は当該情報により救助運転から通常運転に切替えることが可能となる。これにより、トランク部７０を開放した状態で通常運行に戻すことを防止することが可能となる。
【００４２】
本発明のいくつかの実施形態を説明したが、これらの実施形態は、例として提示したものであり、発明の範囲を限定することは意図していない。これら新規な実施形態は、そのほかの様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
１０…昇降路
２０…乗りかご
２１…カウンタウエイト
２２…メインロープ
２３…乗りかご扉
２４…操作装置
２５…自動体外式除細動器（ＡＥＤ）
２６…開閉釦
２６１…戸開釦
２６２…戸閉釦
２７（２７１、２７２、２７３、２７４）…階床釦
２８…表示部
２９…スピーカ
３０…制御部
３１…テールコード
４０…巻上機
５０…乗場
６０…乗場扉
６１…呼出装置
６２…救助運転釦
６３…伝送路
７０…トランク部
７１…蓋部
７２…錠機構
９０…被救護者
９１…ストレッチャ
９２…救護者
１００、１０１、１０２、１０３…エレベータ救命支援システム
【図１】
2019001588.tif 000003
【図２】
2019001588.tif 000004
【図３】
2019001588.tif 000005
【図４】
2019001588.tif 000006
【図５】
2019001588.tif 000007
【図６】
2019001588.tif 000008
【図７】
2019001588.tif 000009
【手続補正書】
【提出日】平成30年6月5日(2018.6.5)
【手続補正１】
【補正対象書類名】特許請求の範囲
【補正対象項目名】全文
【補正方法】変更
【補正の内容】
【特許請求の範囲】
【請求項１】
階床に着床する乗りかごと、
前記乗りかごの内部に設けられ、行き先の階床を選択する操作装置と
前記乗りかごの所定の位置に備え付けられた自動体外式除細動器と、
前記階床の乗場に設けられ、前記自動体外式除細動器を要する場合に、エレベータに救助運転を行わせる救助運転釦と、
前記救助運転釦が押圧されて前記救助運転となると、前記乗りかごを前記救助運転釦が押圧された階床に着床させる自動体外式除細動器搬送処理と、自動体外式除細動器が前記乗りかごの所定の位置から取り外されると前記乗りかごを基準階に移動させて前記基準階の乗場扉と前記乗りかごの乗りかご扉とを戸開状態で待機させる基準階待機処理と、前記操作装置が押圧されると戸開状態を解除して前記乗りかごを前記救助運転釦が押圧された階床に移動させる輸送処理とを行う制御部と、
を具備するエレベータ救命支援システムであって、
前記乗りかごは錠機構を有しており、前記救助運転釦が押圧されると、当該救助運転釦の押圧を鍵機能として前記錠機構を開錠するトランク部と、
前記救助運転を解除し、通常運転に切替えを行う解除手段と、
を具備し、
前記解除手段は、前記トランク部の前記錠機構を施錠して、前記操作装置について複数の釦を略同時に押圧することで機能する、
エレベータ救命支援システム。
【請求項２】
前記エレベータ救命支援システムは、前記操作装置の前記救助運転釦が押圧された階床に対応する階床釦を他の階床の階床釦とは異なる特定表示を行う、請求項１に記載のエレベータ救命支援システム。
【請求項３】
階床に着床する乗りかごと、
前記乗りかごの内部に設けられ、行き先の階床を選択する操作装置と
前記乗りかごの所定の位置に備え付けられた自動体外式除細動器と、
前記階床の乗場に設けられ、前記自動体外式除細動器を要する場合に、エレベータに救助運転を行わせる救助運転釦と、
前記救助運転釦が押圧されて前記救助運転となると、前記乗りかごを前記救助運転釦が押圧された階床に着床させる自動体外式除細動器搬送処理と、自動体外式除細動器が前記乗りかごの所定の位置から取り外されると前記乗りかごを基準階に移動させて前記基準階の乗場扉と前記乗りかごの乗りかご扉とを戸開状態で待機させる基準階待機処理と、前記操作装置が押圧されると戸開状態を解除して前記乗りかごを前記救助運転釦が押圧された階床に移動させる輸送処理とを行う制御部と、
を具備し、
前記操作装置の前記救助運転釦が押圧された階床に対応する階床釦を他の階床の階床釦とは異なる特定表示を行い、
前記特定表示の状態にある前記操作装置において、前記救助運転釦が押圧された階床に対応する階床釦を所定の時間以上で押圧することで、前記基準階待機処理から前記輸送処理に処理を移行する、エレベータ救命支援システム。
【請求項４】
前記特定表示は、前記救助運転釦が押圧された階床に対応する階床釦を点灯し、他の階床の階床釦を消灯する表示である、請求項３に記載のエレベータ救命支援システム。
【請求項５】
前記特定表示は、前記救助運転釦が押圧された階床に対応する階床釦を点滅させる表示である、請求項３に記載のエレベータ救命支援システム。
【請求項６】
前記救助運転を解除し、通常運転に切替えを行う解除手段を更に有する、請求項１乃至請求項５のいずれか１項に記載のエレベータ救命支援システム。
【請求項７】
前記解除手段は前記操作装置について複数の釦を略同時に押圧することで機能する、請求項６に記載のエレベータ救命支援システム。
【請求項８】
前記乗りかごは錠機構を有しており、前記救助運転釦が押圧されると、当該救助運転釦の押圧を鍵機能として前記錠機構を開錠するトランク部を更に設けた、
請求項１乃至請求項７に記載のエレベータ救命支援システム。
【請求項９】
前記乗りかごは錠機構を有しており、前記救助運転釦が押圧されると、当該救助運転釦の押圧を鍵機能として前記錠機構を開錠するトランク部と、
前記救助運転を解除し、通常運転に切替えを行う解除手段と、
を具備し、
前記解除手段は、前記トランク部の前記錠機構を施錠して、前記操作装置について複数の釦を略同時に押圧することで機能する、
請求項３乃至請求項５のいずれか１項に記載のエレベータ救命支援システム。
【請求項１０】
前記解除手段に係る情報を乗りかご内に報知する報知手段を更に有した、
請求項６乃至請求項９のいずれか１項に記載のエレベータ救命支援システム。
【請求項１１】
前記制御部は、前記輸送処理の後に、前記救助運転釦が押圧された階床の乗場扉と前記乗りかごの乗りかご扉とを戸開状態で待機させ、前記操作装置の前記基準階に対応する階床釦または戸閉釦が押圧されたときに前記乗りかごを前記基準階に移動させて戸開状態にし、所定の時間が経過した後に通常運転へと切替えを行う、
請求項１乃至請求項１０のいずれか１項に記載のエレベータ救命支援システム。
【手続補正２】
【補正対象書類名】明細書
【補正対象項目名】０００６
【補正方法】変更
【補正の内容】
【０００６】
上記課題を解決するため、実施形態のエレベータ救命支援システムは、階床に着床する乗りかごと、前記乗りかごの内部に設けられ、行き先の階床を選択する操作装置と前記乗りかごの所定の位置に備え付けられた自動体外式除細動器と、前記階床の乗場に設けられ、前記自動体外式除細動器を要する場合に、エレベータに救助運転を行わせる救助運転釦と、前記救助運転釦が押圧されて前記救助運転となると、前記乗りかごを前記救助運転釦が押圧された階床に着床させる自動体外式除細動器搬送処理と、自動体外式除細動器が前記乗りかごの所定の位置から取り外されると前記乗りかごを基準階に移動させて前記基準階の乗場扉と前記乗りかごの乗りかご扉とを戸開状態で待機させる基準階待機処理と、前記操作装置が押圧されると戸開状態を解除して前記乗りかごを前記救助運転釦が押圧された階床に移動させる輸送処理とを行う制御部と、を具備し、前記操作装置の前記救助運転釦が押圧された階床に対応する階床釦を他の階床の階床釦とは異なる特定表示を行い、前記特定表示の状態にある前記操作装置において、前記救助運転釦が押圧された階床に対応する階床釦を所定の時間以上で押圧することで、前記基準階待機処理から前記輸送処理に処理を移行する。
【手続補正３】
【補正対象書類名】明細書
【補正対象項目名】００３７
【補正方法】変更
【補正の内容】
【００３７】
図７は本実施形態であるエレベータ救命支援システム１０２の流れ図である。本実施形態における流れ図の内、第１の実施形態の流れ図（図４）と同一のステップ（ステップＳ１００、ステップＳ１０１、およびステップＳ１０４以降）については省略をしている。本実施形態では制御部３０により操作装置２４の救助運転釦６２が押圧された階床に対応する階床釦２７を特定表示（点滅）させた後（ステップＳ１０２）、トランクキーたる錠機構７２を解除する（ステップＳ１１９）。そして、制御部３０は、救助運転釦６２が押された階床（３階）へ乗りかご２０を着床させる（ステップＳ１０３）。その後の処理（ステップＳ１０４以降）は図４と同様である。